(57)【要約】【課題】防水シートどうしのシート重ね部分を容易且つ迅速に溶着させて接合することができる防水シート用自動溶着機を提供する。【解決手段】前後輪２，３を備えた自動走行体４と、自動走行体４の下部中央部に脱着自在の転圧ローラーユニット５と、自動走行体４に載置される噴霧機６と、噴霧機６からホース７を介して送られる溶剤を噴霧するノズル８と、基端部が自動走行体４に揺動自在に設けられ、先端部にノズル８を保持するノズルフレーム９と、ノズルフレーム９の先端に設けられ、ノズル８から噴射される溶剤のドリフトを防止するドリフト防止ノズルガイド１０とを備え、端部を重ね合わせた防水シート４６，４６の重ね合わせ部間にノズル８から溶剤を噴出させて塗布し、重ね合わせた防水シート４６，４６端部を転圧ローラーユニット５で転圧し、防水シート４６，４６端部を相互に溶着させるように構成された防水シート用自動溶着機１を提供する。【選択図】図１
2010194842.tif 000002
【特許請求の範囲】
【請求項１】
前後輪を備えた自動走行体と、前記自動走行体の下部中央部に脱着自在の転圧ローラーユニットと、前記自動走行体に載置される噴霧機と、前記噴霧機からホースを介して送られる溶剤を噴霧するノズルと、基端部が前記自動走行体に揺動自在に設けられ、先端部に前記ノズルを保持するノズルフレームと、前記ノズルフレームの先端に設けられ、前記ノズルから噴射される溶剤のドリフトを防止するドリフト防止ノズルガイドとを備え、
端部を重ね合わせた防水シートの重ね合わせ部間に前記ノズルから溶剤を噴出させて塗布し、前記重ね合わせた防水シート端部を前記転圧ローラーユニットで転圧し、前記防水シート端部を相互に溶着させるように構成されたことを特徴とする防水シート用自動溶着機。
【請求項２】
前記前輪に操舵レバーが設けられ、前記前輪は操舵自在であることを特徴とする請求項１記載の防水シート用自動溶着機。
【請求項３】
前記ドリフト防止ノズルガイドは、前記ノズルの左右に配設され、前記ノズルフレームの先端部から進行方向後方に向かって延びる左右ガイド板から成り、前記左右ガイド板の一方が、他方よりも高さが低く、長さが長く形成されていることを特徴とする請求項１又は２記載の防水シート用自動溶着機。
【請求項４】
前記自動走行体には、走行用の駆動源となるモーターと、前記モーターの回転を減速する減速機と、前記減速機の回転を更に減速して前記後輪に伝えるスプロケット及びチェーンとを備えることを特徴とする請求項１乃至３のうちいずれか一に記載の防水シート用自動溶着機。
【請求項５】
前記噴霧機は、溶剤を収納する溶剤容器にホースを介して連結され、前記溶剤容器は、前記自動走行体に搭載された計量器上に載置され計量自在に構成されていることを特徴とする請求項１乃至４のうちいずれか一に記載の防水シート用自動溶着機。
【請求項６】
前記溶剤容器は、金属製の給排口を備え、前記給排口は、前記給排口に磁着自在のマグネットが内側面に固着されたキャップにより開閉自在に構成されていることを特徴とする請求項５記載の防水シート用自動溶着機。
【請求項７】
前記キャップは、前記溶剤容器内と前記噴霧器とを連通させるためのホース、パイプ、又は連結具が貫通して取り付けられていることを特徴とする請求項６記載の防水シート用自動溶着機。
【発明の詳細な説明】
【技術分野】
【０００１】
本発明は、防水シートどうしのシート重ね部分を容易且つ迅速に溶着させて接合することができる防水シート用自動溶着機に関する。
【背景技術】
【０００２】
従来、屋根工事等に於いて、防水シートどうしのシート重ね部分を接合する場合は、手作業でシート重ね部分に溶剤をハケで塗り、素早く手のひらで圧着していた。
この防水シートどうしのシート重ね部分を接合する作業は、長時間に及ぶことが多く、作業時の体勢を長時間続けることは重労働になっていた。
また、前記作業は、日々変化する状況、例えば、気候、気温、溶剤の使用量、塗布のスピード、圧着に必要な時間等を考慮して行なう必要があった。
それらの考慮が不十分であった場合、溶着不良を起こし、補修箇所が多発し、ひいては作業効率の低下を引き起こすことになった。
また、従来、前記作業は手作業であるため、個人差が顕著に現れ、施工品質が一定しないという問題があった。
【０００３】
尚、此種技術の先行文献として、例えば、特許文献１があり、特許文献１には、トンネル等に敷設する防水シート等を加熱溶着して接合する場合等に用いるシート溶着機が記載されている。
【先行技術文献】
【特許文献】
【０００４】
【特許文献１】特開２００１−１２１３１２号公報
【発明の概要】
【発明が解決しようとする課題】
【０００５】
前述したように、従来、屋根工事等に於いて、防水シートどうしのシート重ね部分を接合する場合は、手作業で行なわれていたため、重労働になったり、補修箇所が多発したりして、作業効率の低下を引き起こすことがあり、また、施工品質が一定しないという問題があった。そこで、それらの問題を解決することが望まれている。
【０００６】
以上の現状に鑑み、本発明は、防水シートどうしのシート重ね部分を容易且つ迅速に溶着させて接合することができる防水シート用自動溶着機を提供することを目的とする。
【課題を解決するための手段】
【０００７】
上記の課題を解決すべく、本発明は以下の構成を提供する。
請求項１に係る発明は、前後輪を備えた自動走行体と、前記自動走行体の下部中央部に脱着自在の転圧ローラーユニットと、前記自動走行体に載置される噴霧機と、前記噴霧機からホースを介して送られる溶剤を噴霧するノズルと、基端部が前記自動走行体に揺動自在に設けられ、先端部に前記ノズルを保持するノズルフレームと、前記ノズルフレームの先端に設けられ、前記ノズルから噴射される溶剤のドリフトを防止するドリフト防止ノズルガイドとを備え、
端部を重ね合わせた防水シートの重ね合わせ部間に前記ノズルから溶剤を噴出させて塗布し、前記重ね合わせた防水シート端部を前記転圧ローラーユニットで転圧し、前記防水シート端部を相互に溶着させるように構成されたことを特徴とする防水シート用自動溶着機を提供するものである。
【０００８】
請求項２に係る発明は、前記前輪に操舵レバーが設けられ、前記前輪は操舵自在であることを特徴とする請求項１記載の防水シート用自動溶着機を提供するものである。
【０００９】
請求項３に係る発明は、前記ドリフト防止ノズルガイドは、前記ノズルの左右に配設され、前記ノズルフレームの先端部から進行方向後方に向かって延びる左右ガイド板から成り、前記左右ガイド板の一方が、他方よりも高さが低く、長さが長く形成されていることを特徴とする請求項１又は２記載の防水シート用自動溶着機を提供するものである。
【００１０】
請求項４に係る発明は、前記自動走行体には、走行用の駆動源となるモーターと、前記モーターの回転を減速する減速機と、前記減速機の回転を更に減速して前記後輪に伝えるスプロケット及びチェーンとを備えることを特徴とする請求項１乃至３のうちいずれか一に記載の防水シート用自動溶着機を提供するものである。
【００１１】
請求項５に係る発明は、前記噴霧機は、溶剤を収納する溶剤容器にホースを介して連結され、前記溶剤容器は、前記自動走行体に搭載された計量器上に載置され計量自在に構成されていることを特徴とする請求項１乃至４のうちいずれか一に記載の防水シート用自動溶着機を提供するものである。
【００１２】
請求項６に係る発明は、前記溶剤容器は、金属製の給排口を備え、前記給排口は、前記給排口に磁着自在のマグネットが内側面に固着されたキャップにより開閉自在に構成されていることを特徴とする請求項５記載の防水シート用自動溶着機を提供するものである。
【００１３】
請求項７に係る発明は、前記キャップは、前記溶剤容器内と前記噴霧器とを連通させるためのホース、パイプ、又は連結具が貫通して取り付けられていることを特徴とする請求項６記載の防水シート用自動溶着機を提供するものである。
【発明の効果】
【００１４】
本発明の請求項１記載の発明によれば、防水シートどうしのシート重ね部分を容易且つ迅速に溶着させて接合することができる防水シート用自動溶着機を提供することができる。
【００１５】
請求項２記載の発明によれば、請求項１記載の発明の効果に加え、操舵レバーにより、前輪を操舵できる。
【００１６】
請求項３記載の発明によれば、請求項１又は２記載の発明の効果に加え、左右ガイド板により、噴霧範囲を定めることができると共に、左右ガイド板の一方が、他方よりも高さが低く、長さが長く形成されていることにより、上層の防水シートのめくり上がりを少なくし、更に、めくり上がりからの復元を円滑にして防水シートの損傷を防止することができる。
【００１７】
請求項４記載の発明によれば、請求項１乃至３のうちいずれか一に記載の発明の効果に加え、防水シート用自動溶着機を所定の速度で自走させることができる。
【００１８】
請求項５記載の発明によれば、請求項１乃至４のうちいずれか一に記載の発明の効果に加え、市販の溶剤容器をそのまま使用できると共に、計量器によって、キャップを開けることなく溶剤容器内の残量を確認することができる。
【００１９】
請求項６記載の発明によれば、請求項５記載の発明の効果に加え、マグネットによってキャップの取り付け、取外しが極めて容易になる。
【００２０】
請求項７記載の発明によれば、請求項６記載の発明の効果に加え、本発明のキャップは溶剤容器内と前記噴霧器とを連通させることができると共に、溶剤容器の密封を容易に行うことができる。
【図面の簡単な説明】
【００２１】
【図１】本発明に係る防水シート用自動溶着機の側面図である。
【図２】本発明に係る防水シート用自動溶着機の平面図である。
【図３】本発明に係る防水シート用自動溶着機の正面図である。
【図４】本発明に係る防水シート用自動溶着機のノズルフレームと、ドリフト防止ノズルガイドの構成を説明する側面図である。
【図５】本発明に係る防水シート用自動溶着機のノズルフレームと、ドリフト防止ノズルガイドの構成を説明する平面図である。
【図６】本発明に係る防水シート用自動溶着機のノズルと、ドリフト防止ノズルガイドの構成を説明する正面図である。
【図７】本発明に係るキャップを溶剤容器に取り付ける状態を説明する正面縦断面図である。
【発明を実施するための形態】
【００２２】
以下、実施例を示した図面を参照しつつ本発明の実施の形態を説明する。
【実施例１】
【００２３】
図１及び図２に於いて、１は本発明の防水シート用自動溶着機であり、防水シート用自動溶着機１は、前後輪２，３を備えた自動走行体４と、自動走行体４の下部中央部に脱着自在の転圧ローラーユニット５と、自動走行体４に載置される溶剤の噴霧機６と、噴霧機６からホース７を介して送られる溶剤を噴霧するノズル８と、基端部が自動走行体４の前部に揺動自在に設けられ、先端部にノズル８を保持するノズルフレーム９と、ノズルフレーム９の先端に設けられ、ノズル８から噴射される溶剤のドリフトを防止するドリフト防止ノズルガイド１０とを備えている。
【００２４】
そして、前記自動走行体４には、走行用の駆動源となる、例えば、１００Ｖのモーター１１と、モーター１１の回転を減速する減速機１２と、減速機１２の回転を更に減速して後輪に伝えるスプロケット１３及びチェーン１４とを備えている。
又、前記前輪２に操舵レバー１５が設けられ、前輪２は操舵自在に構成されている。
【００２５】
前記転圧ローラーユニット５は、並列に並べた、例えば、４５φ、巾１００ｍｍのウレタンからなる複数の転圧ローラー１６，１６…が枠体１７に保持されて例えば長さ１ｍに形成され、図３に示す如く、転圧ローラーユニット５の上部と、自動走行体４の下部に設けた係止部材１８，１９が互いに係止自在に構成され、係止部材１８，１９の係脱により、自動走行体４に転圧ローラーユニット５を着脱自在に構成されている。
そして、前記転圧ローラーユニット５上に自動走行体４の底面部を載置し、転圧ローラーユニット５に対し自動走行体４を前方に移動させれば、転圧ローラーユニット５が自動走行体４に取付けられ、転圧ローラーユニット５に対し自動走行体４を後方に移動させれば、転圧ローラーユニット５が自動走行体４から外れるように構成されている。
【００２６】
又、前記ノズルフレーム９の基端部にベアリング２０が固着され、ベアリング２０は自動走行体４の前端部に軸支されている。従って、ノズルフレーム９はベアリング２０により、自動走行体４に対して揺動自在に取付けられている。
【００２７】
そして、前記噴霧機６は、溶剤を収納する溶剤容器２１にホース２２を介して連結され、溶剤容器２１は、前記自動走行体４に搭載された計量器２３上に載置され計量自在に構成されている。
尚、図１及び図２に於いて、２４はバッテリーボックスであり、２５はバルブであり、２６はスイッチである。
【００２８】
前記溶剤容器２１は、例えば、市販された溶剤収納の金属製容器であり、図７に示すように、金属製の給排口２７を備え、給排口２７は、給排口２７に磁着自在のマグネット２８が内側面に固着されたキャップ２９により開閉自在に構成されている。
キャップ２９には、溶剤容器２１内と噴霧器６とを連通させるためのホース２２が貫通して取り付けられる。ホース２２の先端部は、溶剤容器２１内に挿入される銅パイプ３０に接続され、銅パイプ３０の先端部にはストレーナ３１が設けられる。
尚、キャップ２９にホース２２を貫通する構成に代えて、キャップ２９に銅パイプ３０を貫通させても良く、又はホース２２と銅パイプ３０を連結する連結具（図示せず）を貫通させても良い。
又、溶剤容器２１中の溶剤の残量はキャップ２９を取り外すことなく前記計量器２３によって確認することができる。
尚、図７に於いて、３２はゴムパッキンである。
【００２９】
又、図４，５に示す如く、前記ドリフト防止ノズルガイド１０は、ノズル８の左右に起立状態で配設され、ノズルフレーム９の先端部から進行方向後方に向かって延びる上端が流線形状の左右ガイド板４１，４２と、左右ガイド板４１，４２を両端部に保持する保持棒４３と、左右ガイド板４１，４２に両端部を固着されると共に、ノズル８を長手方向略中央部に取り付けるノズル取付棒４４と、右ガイド板４２の下端に水平方向に取り付けられ、左右ガイド板４１，４２を安定的に保持する安定板４５とから成り、右ガイド板４２が、左ガイド板４１よりも高さが低く、長さが長く形成されている。尚、前述の説明では、右ガイド板４２が、左ガイド板４１よりも高さが低く、長さが長く形成されている構成を説明したが、これに限定されるものではなく、例えば、施工現場の状況によっては、左ガイド板４２が、右ガイド板４１よりも高さが低く、長さが長く形成されている構成であっても良い。その場合、ホース７とノズルフレーム９も右ガイド板４２側に取付けられる。
【００３０】
前記左右ガイド板４１，４２により、左右の噴霧範囲を規制して所定の噴霧範囲に設定することができると共に、右ガイド板４２が、左ガイド板４１よりも高さが低く、長さが長く形成されていることにより、接合する２枚の防水シート４６，４６の重ね合わせ部で、上層となる防水シート４６のめくり上がりを少なくし、更に、めくり上がりからの復元を円滑にして防水シート４６の損傷を防止することができる。
尚、前記防水シート４６は、例えば、屋根防水工事のシート防水工法に使用されるシートであり、例えば塩化ビニールシートである。
【００３１】
図６は、ノズル８の取り付け状態を示しており、ノズル８は、前述したように左右ガイド板４１，４２に両端部を固着されたノズル取付棒４４の長手方向略中央部に設けられ、ノズル８の墳孔は防水シート用自動溶着機１の進行方向と反対方向に向けられており、ノズル取付棒４４には、ノズル８とホース７とを連通させる連通孔（図示せず）が形成されている。
尚、ノズル８とホース７とを連通させる連通孔が形成される構成に代えて、ノズル８とホース７とを直結する構成にすることも可能である。
【００３２】
而して、次に、前記防水シート用自動溶着機１の使用方法について説明する。
先ず、防水シート用自動溶着機１の自動走行体４に転圧ローラーユニット５を取付け、次に、市販の溶剤容器２１を、計量器２３上に載置し、溶剤容器２１付属のキャップを取り外し、前記キャップ２９に取り付けたストレーナ３１、銅パイプ３０を溶剤容器２１内の溶剤中に挿入し、溶剤容器２１の給排口２７にマグネット２８を磁着させてキャップ２９を給排口２７に取り付ける。
そして、図５に示す如く、例えば、屋根の端部（スタート地点）に於いて、接合する２枚の左右防水シート４６，４６の前後方向に延びる重ね合わせ部（重ね巾は、例えば、約４０ｍｍに設定する）を右防水シート４６が上になるように上下に積層した状態で、上層になる右防水シート４６の重ね部の一部をめくり、右防水シート４６の重ね部の下であって左防水シート４６の重ね部の上に、ドリフト防止ノズルガイド１０を挿入し、その後方の左右防水シート４６，４６の重ね合わせ部上に転圧ローラーユニット５の転圧ローラー１６，１６…が載置するように配置する。転圧ローラー１６，１６…が重ね合わせ部上に載置される場合、図１に示す前後輪２，３は、重ね合わせ部から水平方向に離れた位置にあり、前後輪２，３の下端は、左右防水シート４６，４６から若干浮いた状態になる。
【００３３】
この状態で、噴霧機６を始動し、ノズル８から溶剤を噴霧し、噴霧状態でモーター１１を駆動して防水シート用自動溶着機１を前進させる。
又、防水シート用自動溶着機１を前進させながら、ドリフト防止ノズルガイド１０が左右防水シート４６，４６の重ね合わせ部の小口から露出しないように操舵レバー１５の舵をとる。
【００３４】
溶剤は、図４及び図５に示す如く、ドリフト防止ノズルガイド１０の左右ガイド板４１，４２によって、水平方向所定巾に噴霧範囲を規制され、左右ガイド板４１，４２に囲まれた右防水シート４６の下面と、左防水シート４６の上面とに噴霧される。溶剤は、噴霧された右防水シート４６の下面と左防水シート４６の上面を溶かし、右防水シート４６の下面と左防水シート４６の上面とを溶着可能状態にする。
【００３５】
左右ガイド板４１，４２のうち、特に右ガイド板４２は前進しながら先端で右防水シート４６の重ね部をめくり、右ガイド板４２の流線形状の上端で右防水シート４６を案内しながら浮かせつつ、右ガイド板４２の後半部で浮かせた右防水シート４６を左防水シート４６上に漸次下降させ、左防水シート４６上に下降した右防水シート４６を転圧ローラーユニット５の転圧ローラー１６，１６…によって、転圧していく。
これにより、左右防水シート４６，４６の重ね合わせ部は溶着し、左右防水シート４６，４６は接続される。
【００３６】
防水シート用自動溶着機１の作業を停止させるときは、噴霧機６を停止させ、モーター１１を停止させて防水シート用自動溶着機１の走行を停止する。
そして、防水シート用自動溶着機１を次の作業地点に移動させる時は、ノズルフレーム９を垂直状態になるように回転させてノズル８を引き上げ、噴霧機６を載せたまま自動走行体４から転圧ローラーユニット５を切り離し、転圧ローラーユニット５を次の作業地点に移動させ、再び自動走行体４に転圧ローラーユニット５を取付ける。
【００３７】
前述の説明と同様にして、前記左防水シート４６の左側に次の防水シート４６を順次接続していくことができる。
又、接続した左右防水シート４６，４６どうしの前後端部の重ね合わせ部を左右方向に接続する場合も同様にして接続することができる。その場合、右防水シート４６側が左防水シート４６上に重なっているので、左方向から右方向に向かって防水シート用自動溶着機１を進行させることが望ましい。
【産業上の利用可能性】
【００３８】
本発明は、屋根工事等に於いて、防水シートどうしのシート重ね部分を接合する場合、手作業で１人８時間かかる施工作業をその約３０倍の作業スピード（約１６分）で施工可能である。
また、溶剤の使用量も手作業に比較して３０％削減できる。
更に、作業員が溶剤を吸入する危険性を大幅に低減することができる。
【符号の説明】
【００３９】
１  防水シート用自動溶着機
２  前輪
３  後輪
４  自動走行体
５  転圧ローラーユニット
６  噴霧機
７  ホース
８  ノズル
９  ノズルフレーム
１０  ドリフト防止ノズルガイド
１１  モーター
１２  減速機
１３  スプロケット
１４  チェーン
１５  操舵レバー
２１  溶剤容器
２２  ホース
２３  計量器
２７  給排口
２８  マグネット
２９  キャップ
４１  左ガイド板
４２  右ガイド板
４６  防水シート
【図１】
2010194842.tif 000003
【図２】
2010194842.tif 000004
【図３】
2010194842.tif 000005
【図４】
2010194842.tif 000006
【図５】
2010194842.tif 000007
【図６】
2010194842.tif 000008
【図７】
2010194842.tif 000009